(57)【要約】【課題】  記録媒体毎の規格に従うことで、記録媒体の読み取り装置（プレーヤ、ドライブ）に無理な負荷を与えることがなく、かつ、他の記録媒体への不正コピーを防止できる記録媒体の記録方法、及び該記録方法による記録媒体への書き込み用プログラムを提供することを目的とする。【解決手段】  コンピュータデータを記録するコンピュータデータ記録領域３と、オーディオデータを記録するオーディオデータ記録領域２とを少なくとも備えた記録方法において、オーディオデータ記録領域２に記録されるオーディオデータの少なくとも１曲目のプリギャップの長さを規定された時間より長く設定する。【選択図】        図１
2005251260.tif 000002
【特許請求の範囲】
【請求項１】
コンピュータデータを記録するコンピュータデータ記録領域と、オーディオデータを記録するオーディオデータ記録領域とを少なくとも備えた記録方法において、
前記オーディオデータ記録領域に記録されるオーディオデータの少なくとも１曲目のプリギャップの長さを規定された時間より長く設定することを特徴とする記録媒体への記録方法。
【請求項２】
前記オーディオデータ記録領域の１曲目のプリギャップの長さを２０秒に設定してなる請求項１記載の記録媒体への記録方法。
【請求項３】
前記記録媒体は回転可能な円盤状部材に記録領域を備え、
前記記録領域の内周側部分に前記オーディオデータ記録領域を、かつ外周側部分に前記コンピュータデータ記録領域を備える、
若しくは、前記記録領域の内周側部分に前記コンピュータデータ記録領域を、かつ外周側部分に前記オーディオデータ記録領域を備えてなる請求項１又は２記載の記録媒体への記録方法。
【請求項４】
前記記録媒体は、ＣＤ−ＲＯＭ，ＣＤ−Ｒ，ＣＤ−ＲＷのなかのいずれかからなる請求項３記載の記録媒体への記録方法。
【請求項５】
Ｙｅｌｌｏｗ  Ｂｏｏｋ規格に規定されるＭｉｘｅｄ  Ｍｏｄｅ形式で記録されるＣＤ−ＲＯＭ，ＣＤ−Ｒ，ＣＤ−ＲＷのなかのいずれかの記録媒体への記録方法において、
前記記録媒体に記録されるＣＤ−ＤＡ形式のオーディオデータの１曲目のプリギャップの長さが２０秒となるように設定することを特徴とする記録媒体への記録方法。
【請求項６】
オーディオデータとコンピュータデータとを記録媒体に記録させるための書き込み用プログラムであって、
記録予定のコンピュータデータを読み取るコンピュータデータ読み取り手段と、
記録予定のオーディオデータを読み取るオーディオデータ読み取り手段と、
前記オーディオデータ読み取り手段によって読み取られたオーディオデータのなかの少なくとも１曲目のプリギャップの長さを、規定された時間よりも長い時間に強制的に設定するプリギャップ設定手段と、
前記プリギャップ設定手段によってプリギャップの長さが設定されたオーディオデータと、前記コンピュータデータ読み取り手段によって読み取られたコンピュータデータとを、前記記録媒体に書き込む記録媒体書き込み手段、
としてコンピュータに機能させるための記録媒体への書き込み用プログラム。
【請求項７】
前記プリギャップ設定手段によって設定されるプリギャップの長さは、２０秒に設定されてなる請求項６記載の記録媒体への書き込み用プログラム。
【請求項８】
前記記録媒体は回転可能な円盤状部材に記録領域を備え、
前記記録媒体書き込み手段は、
前記記録領域の内周側部分に前記オーディオデータを書き込み、かつ外周側部分に前記コンピュータデータを書き込む、
若しくは、前記記録領域の内周側部分に前記コンピュータデータを書き込み、かつ外周側部分に前記オーディオデータを書き込んでなる請求項６又は７記載の記録媒体への書き込み用プログラム。
【請求項９】
前記記録媒体は、ＣＤ−Ｒ，ＣＤ−ＲＷのいずれかの一方である請求項８記載の記録媒体への書き込み用プログラム。
【請求項１０】
前記請求項６から９に記載の記録媒体への書き込み用プログラムが記録された、コンピュータが読み取り可能な記録媒体。
【請求項１１】
オーディオデータとコンピュータデータとを記録媒体に記録させるための書き込みシステムにおいて、
記録予定のコンピュータデータを読み取るコンピュータデータ読み取り手段と、
記録予定のオーディオデータを読み取るオーディオデータ読み取り手段と、
前記オーディオデータ読み取り手段によって読み取られたオーディオデータの少なくとも１曲目のプリギャップの長さを、規定された時間よりも長い時間に強制的に設定するプリギャップ設定手段と、
前記プリギャップ設定手段によって設定されたオーディオデータと、前記コンピュータデータ読み取り手段によって読み取られたコンピュータデータとを、前記記録媒体に書き込む記録媒体書き込み手段とを
コンピュータに備えることを特徴とする記録媒体への書き込みシステム。
【発明の詳細な説明】
【技術分野】
【０００１】
本発明は、オーディオデータとコンピュータデータとを一つの記録媒体に記録する記録方法と、オーディオデータとコンピュータデータとを一つの記録媒体に記録するための書き込み用プログラム、該書き込み用プログラムが記録された記録媒体、記録媒体への書き込み用システムに関するものである。
【背景技術】
【０００２】
今日、パーソナルコンピュータの普及にともなって、アプリケーションプログラム、検索用データベース、文書データなどのコンピュータデータや、オーディオデータ（音楽データ）などが、フレキシブルディスク、ハードディスク、コンパクトディスク、ＤＶＤ等の記録媒体に記録して利用されている。ただ、記録媒体に記録されたデータに対する不正コピーの防止技術は、記録媒体毎の規格の中に取り入れられていない場合もあるため、記録媒体によっては不正コピーを防止する技術を新たに開発する必要性があった。
【０００３】
例えば、ＣＤ−ＤＡ（オーディオＣＤ）に記録されたオーディオデータの不正コピーを防止するために、Ｍｉｄｂａｒ社の「Ｃａｃｔｕｓ  Ｄａｔａ  Ｓｈｉｅｌｄ」という不正コピー防止技術が使用されており、正規のＣＤ（ＣＤ−ＤＡ）に記録されているオーディオデータをＣＤ−Ｒ等の記録媒体へ複製されることを防止している。
【０００４】
また、アプリケーションプログラムの不正コピー防止策としては、データを正常に読み取ることができない不良部分を記録媒体に備えさせ、この記録媒体に、アプリケーションプログラムと、該アプリケーションプログラムが稼働する前に稼働する先行プログラムとを記録させる技術がある。これは、前記アプリケーションプログラムの記録エリア内に、前記不良部分を備えさせて、前記先行プログラムに前記不良部分を含まないアプリケーションプログラムの読み取るべき部分の存在位置の情報を含ませて、先行プログラムを稼働させたときには不良部分を読み取らずにアプリケーションプログラムが記録されている領域のデータを読み取ることで、該アプリケーションプログラムを稼働することができるようにしているが、コピーコマンドによって他の記録媒体にコピーする場合には、前記不良部分で読み取りができなくし、アプリケーションプログラムの不正コピーの防止を行っている（例えば、特許文献１参照。）。
【特許文献１】特開２０００−３４８４３５号公報
【発明の開示】
【発明が解決しようとする課題】
【０００５】
しかしながら、前記Ｍｉｄｂａｒ社の「Ｃａｃｔｕｓ  Ｄａｔａ  Ｓｈｉｅｌｄ」の技術は、ＣＤ−ＤＡ（オーディオＣＤ）の規格であるＲｅｄ  Ｂｏｏｋ（レッドブック）規格に従ったものではなく、オーディオデータを再生するときには、ＣＤプレーヤに必要以上の負荷がかかり、再生されるオーディオデータの音質が劣化することが知られており、音楽を高音質で再生したいユーザにとっては、満足できる技術ではなかった。また、特定のＣＤプレーヤでは再生すらできない場合もあり、ユーザに少なからず負担を強いていた。
【０００６】
一方、特許文献１記載の不正コピーの防止策としては、記録媒体に書き込まれたアプリケーションプロラムを対象とした技術であり、アプリケーションプログラムによって作成された文書データ、データベース、画像データ等のデータに対しての不正コピーの防止策として実施することができなかった。また、ＣＤ−ＲＯＭの規格であるＹｅｌｌｏｗ  Ｂｏｏｋ（イエローブック）規格に従った技術ではなかったため、その読み取り装置（例えば、ＣＤドライブ）に同じく負荷を強いていた。
【０００７】
本願発明は、係る問題に鑑み、記録媒体毎の規格に従うことで、記録媒体の読み取り装置（プレーヤ、ドライブ）に無理な負荷を与えることがなく、かつ、他の記録媒体への不正コピーを防止できる記録媒体の記録方法、及び該記録方法による記録媒体への書き込み用プログラムを提供することを目的とする。
【課題を解決するための手段】
【０００８】
本願発明に係る記録媒体への記録方法は、コンピュータデータを記録するコンピュータデータ記録領域と、オーディオデータを記録するオーディオデータ記録領域とを少なくとも備えた記録方法であって、前記オーディオデータ記録領域に記録されるオーディオデータの少なくとも１曲目のプリギャップの長さを規定された時間より長く設定することを特徴とする。
したがって、プリギャップの長さを規定された時間より長くすることによって、記録媒体へのライティングソフトウエア（コピー用プログラム）にオーバーフロー等の異常な動作を起こさせることで、他の記録媒体にデータをコピーすることができなくなる。また、記録媒体の規格に従った記録方法であるので、再生装置（プレーヤ、ドライブ）に負荷を与えることがなく、音質を劣化させることや、特定のプレーヤで再生できないことがない。
【０００９】
また、前記オーディオデータ記録領域の１曲目のプリギャップの長さを２０秒に設定してもよい。
【００１０】
また、前記記録媒体は回転可能な円盤状部材に記録領域を備え、前記記録領域の内周側部分に前記オーディオデータ記録領域を、かつ外周側部分に前記コンピュータデータ記録領域を備える、若しくは、前記記録領域の内周側部分に前記コンピュータデータ記録領域を、かつ外周側部分に前記オーディオデータ記録領域を備えさせてもよい。
【００１１】
また、前記記録媒体は、ＣＤ−ＲＯＭ，ＣＤ−Ｒ，ＣＤ−ＲＷのなかのいずれかの記録媒体を使用してもよい。
【００１２】
特に、本願発明に係る記録媒体への記録方法としては、Ｙｅｌｌｏｗ  Ｂｏｏｋ（イエローブック）規格に規定されるＭｉｘｅｄ  Ｍｏｄｅ形式で記録されるＣＤ−ＲＯＭ，ＣＤ−Ｒ，ＣＤ−ＲＷのなかのいずれかの記録媒体への記録方法であって、前記記録媒体に記録されるＣＤ−ＤＡ形式のオーディオデータの１曲目のプリギャップの長さが２０秒となるように設定することを特徴とする。これによって、正規のＣＤ−ＲＯＭ，ＣＤ−Ｒ，ＣＤ−ＲＷに記録されたデータと完全に同一の記録媒体を作成することができなくなり、不正コピーを防止することができる。
【００１３】
また、本願発明に係る記録媒体への書き込み用プログラムは、オーディオデータとコンピュータデータとを記録媒体に記録させるための書き込み用プログラムであって、記録予定のコンピュータデータを読み取るコンピュータデータ読み取り手段と、記録予定のオーディオデータを読み取るオーディオデータ読み取り手段と、前記オーディオデータ読み取り手段によって読み取られたオーディオデータのなかの少なくとも１曲目のプリギャップの長さを、規定された時間よりも長い時間に強制的に設定するプリギャップ設定手段と、前記プリギャップ設定手段によってプリギャップの長さが設定されたオーディオデータと、前記コンピュータデータ読み取り手段によって読み取られたコンピュータデータとを、前記記録媒体に書き込む記録媒体書き込み手段、としてコンピュータに機能させることを特徴とする。
また、本願発明に係る記録媒体への書き込みシステムとして、オーディオデータとコンピュータデータとを記録媒体に記録させるための書き込みシステムにおいて、記録予定のコンピュータデータを読み取るコンピュータデータ読み取り手段と、記録予定のオーディオデータを読み取るオーディオデータ読み取り手段と、前記オーディオデータ読み取り手段によって読み取られたオーディオデータの少なくとも１曲目のプリギャップの長さを、規定された時間よりも長い時間に強制的に設定するプリギャップ設定手段と、前記プリギャップ設定手段によって設定されたオーディオデータと、前記コンピュータデータ読み取り手段によって読み取られたコンピュータデータとを、前記記録媒体に書き込む記録媒体書き込み手段とをコンピュータに備えさせてもよい。
したがって、ユーザが作成したデータを容易に記録媒体に記録でき、さらには、そのデータは他の記録媒体に不正コピーされることがない。
【００１４】
また、前記プリギャップ設定手段によって設定されるプリギャップの長さは、２０秒に設定してもよい。
【００１５】
また、前記記録媒体は回転可能な円盤状部材に記録領域を備え、前記記録媒体書き込み手段は、前記記録領域の内周側部分に前記オーディオデータを書き込み、かつ外周側部分に前記コンピュータデータを書き込む、若しくは、前記記録領域の内周側部分に前記コンピュータデータを書き込み、かつ外周側部分に前記オーディオデータを書き込むようにしてもよい。
【００１６】
また、前記記録媒体は、ＣＤ−Ｒ，ＣＤ−ＲＷのいずれかの一方の記録媒体を使用してもよい。
【００１７】
また、前記記録媒体への書き込み用プログラムを記録媒体に記録させてもよい。
【発明の効果】
【００１８】
以上にしてなる本願発明に係る記録媒体への記録方法は、オーディオデータの１曲目のプリギャップの長さを規定の長さより長く設定することで、殆どの読み取り装置（プレーヤ、ドライブ）やライティングソフトウエアで、他の記録媒体に複製ができなくなり、不正コピーの防止策を施した記録媒体を作成することができる。また、特定の読み取り装置（プレーヤ、ドライブ）及びライティングソフトウエアを用いることで、他の記録媒体に記録することができたとしても、複製元の前記プリギャップの長さと複製先のオーディオデータの１曲目のプリギャップの長さが異なっているため、完全に同一の記録媒体とはならない。したがって、このプリギャップの相違に基づいて、正規の記録媒体と複製された記録媒体との識別要素とすることができる。また、記録媒体毎の規格に従っているので、読み取り装置（プレーヤ、ドライブ）に余分な負荷を与えることがなく、再生する音質を劣化させることがなく、特定の読み取り装置で再生できないということがない。
【００１９】
特に、正規の記録媒体としては、Ｙｅｌｌｏｗ  Ｂｏｏｋ規格に規定されるＭｉｘｅｄ  Ｍｏｄｅで記録されるＣＤ（ＣＤ−ＲＯＭ，ＣＤ−Ｒ，ＣＤ−ＲＷ）に、ＣＤ−ＤＡ形式のオーディオデータの１曲目のプリギャップの長さを規定された長さよりも長い２０秒に設定したオーディオデータとコンピュータデータを記録させていると、殆どのＣＤドライブやライティングソフトウエアで、他の記録媒体に複製ができなくなり、不正コピーの防止策を施したＣＤとなる。また、特定のＣＤドライブ及びライティングソフトウエアを用いることで、他の記録媒体に記録することができたとしても、複製元の前記プリギャップの長さと複製先のオーディオデータの１曲目のプリギャップの長さが異なっているため、完全に同一のＣＤとはならない。したがって、このプリギャップの相違に基づいて、正規のＣＤと複製されたＣＤとの識別要素とすることができる。また、ＣＤ−ＲＯＭの規格に従っているので、ＣＤプレーヤに余分な負荷を与えることがなく、再生する音質を劣化させることがなく、特定のＣＤプレーヤでは再生できないということがない。
【００２０】
また、記録媒体への書き込み用プログラムは、コンピュータデータ読み取り手段、オーディオデータ読み取り手段、プリギャップ設定手段、記録媒体書き込み手段としてコンピュータを機能させるので、オーディオデータの１曲目のプリギャップの長さを長く設定したオーディオデータとコンピュータデータとを記録した記録媒体を作成することができる。したがって、この書き込み用プログラムを使用して作成した記録媒体は、殆どの読み取り装置（プレーヤ、ドライブ）やライティングソフトウエアで、他の記録媒体に複製ができなくなり、不正コピーの防止策を施した記録媒体となる。また、特定の読み取り装置（プレーヤ、ドライブ）及びライティングソフトウエアを用いることで、他の記録媒体に記録することができたとしても、複製元の前記プリギャップの長さと複製先のオーディオデータの１曲目のプリギャップの長さが異なっているため、完全に同一の記録媒体とはならない。したがって、このプリギャップの相違に基づいて、正規の記録媒体と複製された記録媒体との識別要素とすることができる。また、記録媒体毎の規格に従っているので、読み取り装置（プレーヤ、ドライブ）に余分な負荷を与えることがなく、再生する音質を劣化させることがなく、特定の読み取り装置で再生できないということがない。
【００２１】
また、書き込み用プログラムによって書き込まれる記録媒体として、ＣＤ−Ｒ又はＣＤ−ＲＷ等の追加記録可能な記録媒体に記録させることによって、僅かな枚数でも低コスト且つコピープロテクトが施された記録媒体を作成することができる。
【００２２】
また、記録媒体への書き込み用プログラムをコンピュータが読み取り可能な記録媒体に記録させるので、該書き込み用プログラムをコンピュータにインストールすることにより、使用することができる。
【発明を実施するための最良の形態】
【００２３】
本願発明におけるオーディオデータとは、デジタル化されたオーディオデータ（音楽データ）を示し、アナログデータ形式のデータは含まない。オーディオデータの具体的な一例としては、Ｒｅｄ  Ｂｏｏｋ（レッドブック）規格に規定されたＣＤ−ＤＡ（Compact Disk Digital Audio）の形式で記録されるデータ（オーディオデータ）などが挙げられるが、少なくともデジタル化されていれば、その他の方式（規格）で記録されるオーディオデータであってもよい。
また、本願発明におけるコンピュータデータとは、デジタル化されたコンピュータが読み取り可能なデータを示し、コンピュータで稼働可能なアプリケーションプログラムデータ（ゲームプログラム、ワードプロセッサプログラム等）や、前記アプリケーションプログラムで作成された、若しくは読み取り可能なファイルデータ（文書データ、画像データ、動画データ、データベースのデータ等）を示す。また、前記コンピュータデータに、前記オーディオデータは含まれない。
【００２４】
オーディオデータ記録領域とは、前記オーディオデータを記録する領域であるが、該オーディオデータを読み取るために各記録媒体毎の規格で定められている制御用データ、オーディオデータに対応するプリギャップ等のデータが記録される領域である。
同様に、コンピュータデータ記録領域とは、前記コンピュータデータを記録する領域であるが、該コンピュータデータを読み取るための各記録媒体毎の規格で定められている制御用データ、前記コンピュータデータに対応するプリギャップ等のデータが記録される領域である。
【００２５】
以下に示す実施例では、図１に示すように、前記オーディオデータ６と前記コンピュータデータ５とをＹｅｌｌｏｗ  Ｂｏｏｋ（イエローブック）規格に規定されているＭｉｘｅｄ  Ｍｏｄｅで記録されるＣＤ（ＣＤ−ＲＯＭ，ＣＤ−Ｒ，ＣＤ−ＲＷ）１への記録方法（記録構造）に関して述べる。
Ｙｅｌｌｏｗ  Ｂｏｏｋ規格に規定されるＭｉｘｅｄ  Ｍｏｄｅは、図１及び図２に示すように、記録媒体であるＣＤ（ＣＤ−ＲＯＭ，ＣＤ−Ｒ，ＣＤ−ＲＷ）１の１つのセッションの中の第１トラック（内周側部分）２にコンピュータデータ５を記録し、第２トラック（外周側部分）３にオーディオデータ（ＣＤ−ＤＡデータ）６を記録するものである。
なお、オーディオデータ６とコンピュータデータ５の双方を１つの記録媒体に記録する方法としては、Ｍｉｘｅｄ  Ｍｏｄｅのように、円盤状部材１の記録領域の内周側部分２にコンピュータデータ５を、外周側部分３にオーディオデータ６を記録する方法、円盤状部材１の記録領域の内周側部分２にオーディオデータ６を、外周側部分３にコンピュータデータ５をそれぞれ記録する方法や、円盤状部材１の記録領域にオーディオデータ６とコンピュータデータ５とを交互に記録する方法などがある。
【００２６】
前記Ｒｅｄ  Ｂｏｏｋ規格では、オーディオデータの開始位置よりも前の位置に備えられるプリギャップ４の長さとして、２秒以上の長さに設定するように規定されている。このプリギャップ４は、オーディオデータの１曲目と２曲目の間のように、曲と曲との間に設定される。また、ＣＤプレーヤで、例えば、１曲目に続けて２曲目を再生させた場合には、２曲目の前に備えられたプリギャップのデータを再生することができるが、２曲目を直接指定した場合は、プリギャップ部分を再生せずに２曲目のオーディオデータを再生するようになっているので、プリギャップ４の最低時間（規定された時間）である２秒に通常設定されている。
【実施例１】
【００２７】
図１は、Ｙｅｌｌｏｗ  Ｂｏｏｋ規格に規定されたＭｉｘｅｄ  ＭｏｄｅのＣＤ１であり、内周側部分（第１トラック）２に前記コンピュータデータ５を記録したコンピュータデータ記録領域２、外周側部分（第２トラック）３に前記オーディオデータ６を記録したオーディオデータ記録領域３、リードイン領域（図示しない）、リードアウト領域（図示しない）によって主に構成されている。また、前記コンピュータデータ記録領域２及びオーディオデータ記録領域３には、プリギャップ４がそれぞれ備えられている。
【００２８】
通常、コンピュータデータ記録領域２及びオーディオデータ記録領域３に設定されるプリギャップ４の長さは、図２（ａ）に示すように、Ｒｅｄ  Ｂｏｏｋ規格に規定された最低時間の２秒に設定されているが、本願発明に係る記録媒体では、図２（ｂ）に示すように、オーディオデータ記録領域３に記録されるオーディオデータの１曲目のプリギャップ４ａの長さを規定された２秒よりも長い時間に設定する。なお、図２では、オーディオデータ６としては１曲だけ記録しているが、２曲以上のオーディオデータ６を記録してもよい。また、図１は、コンピュータデータ記録領域２とオーディオデータ記録領域３の概念を説明したものであり、各領域の記録領域の面積を限定するものではなく、記録媒体１の殆どの記録領域をコンピュータデータ記録領域２が占有し、その残りの領域をオーディオデータ記録領域３が占有してもよいし、その逆であってもよい。また、記録媒体１の記録領域の全てにデータを記録していなくてもよい。
【００２９】
つぎに、Ｙｅｌｌｏｗ  Ｂｏｏｋ規格に規定されるＭｉｘｅｄ  Ｍｏｄｅで記録されるＣＤ（ＣＤ−ＲＯＭ，ＣＤ−Ｒ，ＣＤ−ＲＷ）１に記録されるＣＤ−ＤＡ形式のオーディオデータの１曲目のプリギャップ４ａの長さを２０秒に設定したときに、該ＣＤ１のデータを他の記録媒体であるＣＤ−Ｒに完全にコピーできるか否かの実験をした。
【００３０】
プリギャップ４ａの長さを２０秒に設定したＣＤ１のコピーを行った環境としては、表１に示した、ＯＳ（オペレーティングシステム）、ＣＤドライブ（コピー元のＣＤ１のデータの読み取り、及びコピー先のＣＤ−Ｒへのデータの書き込みを行うドライブ）、ライティングソフトウエア（コピー先のＣＤ−Ｒにデータの書き込みを行うソフトウエア）を組み合わせた環境で「ディスク・アット・ワンス（Disk At Once）」の記録方法で完全に一致するコピーが可能か否かを調べた。
【００３１】
【表１】
2005251260.tif 000003
【００３２】
実験の結果としては、表２に示すＯＳ、ＣＤドライブ、ライティングソフトウエアの組み合わせ以外では、コピー先のＣＤ−Ｒ（他のＣＤ−Ｒ）に書き込むことができずに、終了した。書き込みができなかった要因としては、プリギャップ４の長さが通常設定されている時間（規定されている時間）に比べて非常に長い時間が設定されているため、前記ライティングソフトウエアのオーバーフロー等の異常な動作を起こして、コピー先のＣＤ−Ｒへの書き込みが行われなかったと思われる。
【００３３】
【表２】
2005251260.tif 000004
【００３４】
また、表２の環境でコピーしたＣＤ−Ｒは、前記オーディオデータ６の１曲目のプリギャップ４ａの長さが２０秒から２秒に自動的に変更されていた。具体的には、コピー元のＣＤ１は、図２（ｂ）で示した構造で記録されていたが、コピー先のＣＤ−Ｒでは、図２（ａ）で示した構造で記録されていた。つまり、表２で示した環境でＣＤ１のコピーを行っても、完全に一致したＣＤにはならなかった。
【００３５】
以上のことから、プリギャップ４の長さを規定された時間（例えば２秒）よりも長い時間（例えば２０秒）に設定して記録されたＣＤ１は、殆どの環境において、他のＣＤ−Ｒにコピーすることができないため、正規のＣＤ（ＣＤ−ＲＯＭ，ＣＤ−Ｒ，ＣＤ−ＲＷ）に記録しているオーディオデータ６及びコンピュータデータ５の不正コピーを防止することができる。
また、ごく一部のＣＤドライブ及びライティングソフトウエアによっては、他のＣＤ−Ｒにコピーができるものの、オーディオデータの１曲目のプリギャップ４（４ａ）の長さが勝手に変更されて一致していないため、完全な不正コピーはできない。
つまり、オーディオデータの１曲目のプリギャップの長さを規定された長さよりも長く設定したＣＤ１は、完全に同一の複製品を作成することができない。
さらに、正規のＣＤと、不正なＣＤとのプリギャップ４ａ（４）の違いを検出することにより、正規のＣＤであるか、不正コピーされたＣＤであるかの識別要素とすることもできる。
【００３６】
なお、上記の実験では、記録媒体としてＣＤを用いて正規のＣＤから完全な複製ができるか否かの実験を行っているが、ＤＶＤ等の他の記録媒体であってもよい。
【実施例２】
【００３７】
つぎに、実施例１で示したオーディオデータの１曲目のプリギャップ４が規定された時間よりも長く設定されているＣＤ（ＣＤ−ＲＯＭ，ＣＤ−Ｒ，ＣＤ−ＲＷ）を作成する記録媒体への書き込み用プログラムに関して説明する。
【００３８】
前記記録媒体への書き込み用プログラム（以下、書き込み用プログラムと称す。）７は、図４に示すように、コンピュータ１４にインストールされ、記録媒体への書き込み用システムとして機能するプログラムである。また、このコンピュータ１４には、記録媒体１に前記コンピュータデータ５とオーディオデータ６を書き込むドライブ（書き込み装置）１５が通信ケーブル１６で接続されている。なお、前記ドライブ１５が、オーディオデータの読み取りを行うオーディオデータ読み取り手段１１（図３参照）、コンピュータデータの読み取りを行うコンピュータデータ読み取り手段１０（図３参照）を兼用してもよい。
【００３９】
本願発明に係る前記オーディオデータ６と前記コンピュータデータ５とを一枚の記録媒体１に書き込む（記録させる）書き込み用プログラム７は、図２及び図３に示すように、コンピュータデータ記録手段８に記録されているコンピュータデータ５を読み取るコンピュータデータ読み取り手段１０と、オーディオデータ記録手段９に記録されているオーディオデータ６を読み取るオーディオデータ読み取り手段１１と、前記オーディオデータ読み取り手段１１によって読み取られたオーディオデータ６の１曲目のプリギャップ４（図２（ａ）参照）の長さを規定された時間よりも長い時間に強制的に設定するプリギャップ設定手段１２と、前記プリギャップ設定手段１２によってプリギャップ４ａ（図２（ｂ）参照）の長さが設定されたオーディオデータ６と、前記コンピュータデータ読み取り手段１０によって読み取られたコンピュータデータ５を記録媒体１に書き込む記録媒体書き込み手段１３として、コンピュータを機能させるプログラムである。
【００４０】
前記コンピュータデータ読み取り手段１０は、図３に示すように、ＣＤ−ＲＯＭ，ＤＶＤ−ＲＯＭ，ＨＤＤなどのコンピュータデータ記録手段８に記録されているコンピュータデータ５を読み取る手段である。なお、読み取ったコンピュータデータ５のデータ形式から、前記記録媒体１に記録するときのデータ形式へのデータ形式変換が必要であれば、このデータ変換を行うコンピュータデータ変換部（図示しない）をコンピュータデータ読み取り手段１０に備えさせて、記録媒体１に適したデータ形式へ変換してもよい。
なお、前記コンピュータデータ読み取り手段１０が読み取るコンピュータデータ５としては、書き込み用プログラム７を操作するユーザが指定したコンピュータデータ５を読み取るが、該書き込み用プログラム７に前記コンピュータデータ記録手段８を備えさせて、予め定められているコンピュータデータ５を読み取るようにしてもよい。
【００４１】
前記オーディオデータ読み取り手段１１は、図３に示すように、ＣＤ−ＤＡ，ＨＤＤなどのオーディオデータ記録手段９に記録されているオーディオデータ６を読み取る手段である。なお、読み取ったオーディオデータのデータ形式から、前記記録媒体１に記録するときのデータ形式へのデータ形式変換が必要であれば、このデータ形式変換を行うオーディオデータ変換部（図示しない）をオーディオデータ記録手段９に備えて、記録媒体１に記録するためのデータ形式に変換してもよい。また、前記オーディオデータ変換部は、アナログ形式のオーディオデータをＰＣＭ方式でデジタル変換する機能を備えてもよい。
なお、前記オーディオデータ読み取り手段１１が読み取るオーディオデータ６としては、書き込み用プログラム７を操作するユーザが指定したオーディオデータ６を読み取るが、該書き込み用プログラム７に前記オーディオデータ記録手段９を備えさせて、予め定められているオーディオデータ６を読み取るようにしてもよい。
【００４２】
前記プリギャップ設定手段１２は、図３に示すように、前記オーディオデータ読み取り手段１１によって読み取られたオーディオデータ６の中から１曲目に設定されたオーディオデータのプリギャップ４の長さを規定された時間よりも長い時間（例えば、規定された時間が２秒のときには、２０秒）に設定する手段である。より具体的には、記録媒体１に記録するときに使われるキューシート（Cue Sheet）のデータの中から、１曲目のオーディオデータ６に関するデータを見つけ出す。そして、プリギャップ４が設定されているときには、その長さを変更し（例えば、２０秒に変更し）、プリギャップが元々設定されていないときには、プリギャップを規定されている長さより長く設定して、図２（ｂ）で示すプリギャップ４ａのように規定されている時間より長いプリギャップとなるようにキューシートのデータを書き換える。
なお、強制的に書き換えられるプリギャップの長さは、予め設定された長さ（例えば２０秒）に設定してもよいし、ユーザが書き込むときに、その長さを自由に設定できるようにしてもよい。なお、ユーザによってプリギャップの長さを設定できる場合には、記録媒体の記録容量、オーディオデータの容量、コンピュータデータの容量に基づいて、プリギャップの最長時間を演算して、該最長時間より短くプリギャップを設定するようにユーザに促してもよい。
【００４３】
前記記録媒体書き込み手段１３は、図３に示すように、前記コンピュータデータ読み取り手段１０によって読み出されたコンピュータデータ５と、前記プリギャップ設定手段１２によってプリギャップの長さが長く設定されたオーディオデータとを、記録媒体１に書き込む手段である。記録媒体１であるＣＤ−Ｒ（ＣＤ−ＲＷ等の他の記録媒体であってもよい。）に、Ｙｅｌｌｏｗ  Ｂｏｏｋ規格に規定されたＭｉｘｅｄ  Ｍｏｄｅで書き込む場合には、図２（ｂ）に示すように、ＣＤ−Ｒの内周側部分からリードインデータを書き込み、続けてプリギャップ４、コンピュータデータ５、プリギャップ４ａ、オーディオデータ６を続けて書き込み、最後にリードアウトデータを書き込むように書き込み装置を制御する。
【００４４】
前記各手段としてコンピュータを機能させる書き込み用プログラム３２を実行したときコンピュータ１４のディスプレイに、図６で示す選択画面１７を表示している。操作者が選択画面１７を操作することで、記録媒体１に記録するユーザデータ３１及びオーディオデータ６のそれぞれを選択できるようにしている。この選択画面１７の左上のウインドウ１８は、コンピュータ１４（図４参照）に記録されているフォルダを表示しており、その中から操作者が選択したフォルダの中にあるファイル２２やフォルダ２６が右上のウインドウ１９に表示されている。一方、左下のウインドウ２０には、記録媒体（ＣＤ）のコンピュータデータ記録領域２を示すフォルダ２３と、オーディオデータ記録領域３を示すフォルダ２４が表示されている。図５では、フォルダ２３が選択され、コンピュータデータ記録領域２に記録するコンピュータデータが右下のウインドウ２１に表示されている。図５の右下のウインドウ２１では、「Readme.doc」というファイル名のコンピュータデータが選択されている状態を示している。同様に、記録すべきオーディオデータを選択する場合には、左下のウインドウ２０のフォルダ２４を選択した後、右上のウインドウ１９に表示されているオーディオデータのファイルを右下のウインドウ２１にドラッグアンドドロップして選択する。そして、コンピュータデータ及びオーディオデータの両方を選択した操作者は、書き込み開始ボタン２５を押下して、前記コンピュータ１４（図４参照）がドライブ１５（図４参照）に挿入されている記録媒体１（図４参照）に、選択したコンピュータデータとオーディオデータの双方を書き込む（記録する）。
【００４５】
上記のように、前記書き込み用プログラム７をコンピュータで実行させることにより、オーディオデータの１曲目のプリギャップの長さが長い記録媒体を作成することができる。つまり、実施例１でも示したように、コピーを行ったとしても、コピー元と完全に同一の記録状態（記録構造）でコピーすることができない記録媒体を作成することができる。
また、前記書き込み用プログラム７をコンピュータで実行して作成した記録済みのＣＤ−Ｒは、プリギャップの長さを長く設定しているだけであり、前記Ｙｅｌｌｏｗ  Ｂｏｏｋ規格に規定されたＭｉｘｅｄ  Ｍｏｄｅの規格に準拠しているので、ＣＤプレーヤなどに負荷をかけることがなく、再生する音楽の音質を低減することがない。また、特定のＣＤプレーヤで再生することができないという問題もなくなる。
【００４６】
書き込みを行う記録媒体としては、ＣＤ−ＲＯＭ，ＤＶＤ−ＲＯＭのような追加記録及び書換記録ができない記録媒体であってもよいが、ＣＤ−Ｒ，ＣＤ−ＲＷ，ＤＶＤ−Ｒ，ＤＶＤ＋Ｒ，ＤＶＤ−ＲＷ，ＤＶＤ＋ＲＷ，ＤＶＤ−ＲＡＭのような追加記録又は書換記録ができる記録媒体でもよい。特に、僅かな枚数（１，２枚から数十枚程度）の記録媒体を作成するときには、ＣＤ−Ｒなどの追加記録可能な記録媒体に書き込むことができるので、低コスト且つコピーすることができない記録媒体を作成することができる。
つまり、個人で作成した音楽及びコンピュータプログラムをＣＤ−Ｒに容易に記録させることができ、かつそのデータを不正にコピーされることがない記録媒体とすることができる。
【００４７】
なお、記録媒体に記録させるオーディオデータ及びコンピュータデータは、記録媒体に記録する人が作成した音楽やコンピュータプログラムなど、他人の著作権等の権利を侵害しないデータを記録しなければならないことは当然のことである。
【００４８】
また、前記書き込み用プログラム７をＣＤ−ＲＯＭ，ＤＶＤ−ＲＯＭなどのコンピュータが読み取り可能な記録媒体に記録させて販売し、購入者がこの書き込み用プログラム７を自身が所有するコンピュータにインストールしてもよい。
【００４９】
前記書き込み用プログラム７をコンピュータで実行し、前記コンピュータデータ読み取り手段１０、前記オーディオデータ読み取り手段１１、前記プリギャップ設定手段１２、前記記録媒体書き込み手段１３とがコンピュータに備えられている記録媒体への書き込みシステムとして、オーディオデータの１曲目のプリギャップが規定された時間よりも長く設定されたオーディオデータと、コンピュータデータが記録された記録媒体を作成することができる。
【図面の簡単な説明】
【００５０】
【図１】コンピュータデータとオーディオデータを記録した記録媒体の説明図である。
【図２】図２（ａ）は、オーディオデータの１曲目のプリギャップの長さが規定の長さに設定している場合の説明図であり、図２（ｂ）は、オーディオデータの１曲目のプリギャップの長さを規定の長さよりも長く設定している場合の説明図である。
【図３】書き込み用プログラム及び書き込みシステムのブロック図である。
【図４】書き込み用プログラムがインストールされたコンピュータ、及び書き込みドライブの概略図である。
【図５】書き込み用プログラムの操作画面である。
【符号の説明】
【００５１】
１    記録媒体，円盤状部材，ＣＤ
２    コンピュータデータ記録領域，内周側部分，第１トラック
３    オーディオデータ記録領域，外周側部分，第２トラック
４    プリギャップ
４ａ  プリギャップ
５    コンピュータデータ
６    オーディオデータ
７    書き込み用プログラム
８    コンピュータデータ記録手段
９    オーディオデータ記録手段
１０    コンピュータデータ読み取り手段
１１    オーディオデータ読み取り手段
１２    プリギャップ設定手段
１３    記録媒体書き込み手段
１４    コンピュータ
１５    ドライブ
１６    通信ケーブル
１７    選択画面
１８    ウインドウ
１９    ウインドウ
２０    ウインドウ
２１    ウインドウ
２３    フォルダ
２４    フォルダ
２５    書き込み開始ボタン
【図１】
2005251260.tif 000005
【図２】
2005251260.tif 000006
【図３】
2005251260.tif 000007
【図４】
2005251260.tif 000008
【図５】
2005251260.tif 000009